(57)【要約】【課題】防水ファスナーを提供する。【解決手段】本発明は、係合テープ１ａ、１ｂと、スライダー素子２と、ブロック体３と、突起部４と、凹部５と、を含む。２本の係合テープ１ａ、１ｂをそれぞれ互いに寄せ合わせる一辺には、それぞれ互いに噛み合わせるように働くレール部を有する。係合テープ１ａ、１ｂのレール部の間にスライド自在に結合するスライダー素子２は、２本の係合テープ１ａ、１ｂを互いに噛み合わせたり分離させたりするように駆動する。ブロック体３は、一方の係合テープの末端部に結合して、他方の係合テープの挿設固定に用いられる。一方の係合テープの末端部に突起部４が設けられており、他方の係合テープの末端部に凹部５が設けられている。【選択図】図１
2017144030.tif 000002
【特許請求の範囲】
【請求項１】
第１係合テープと、第２係合テープと、スライダー素子と、ブロック体と、突起部と、凹部と、を備え、
前記第１係合テープは、第１レール部を有し、
前記第２係合テープは、前記第１レール部と噛合うことが可能な第２レール部を有し、
前記スライダー素子は、前記第１レール部および前記第２レール部にスライド可能に結合されており、前記第１レール部と前記第２レール部とを噛み合わせる、または、前記第１レール部と前記第２レール部とを分離させ、
前記ブロック体は、前記第１係合テープの前記第１レール部の末端部に結合されており、前記第２係合テープの前記第２レール部の末端部の挿設かつ固定に用いられ、
前記突起部は、前記第１レール部に設けられており、
前記凹部は、前記突起部に対応するよう前記第２レール部に設けられており、
前記第２レール部の一端が前記ブロック体に挿入されたとき、前記突起部が前記凹部に嵌め込み可能であることを特徴とする、防水ファスナー。
【請求項２】
前記突起部は、前記ブロック体に設けられており、細長部を有し、前記細長部が前記第１係合テープの背面に寄せ合わせられており、前記細長部の自由端が、前記第１レール部を貫通し、前記第１レール部より突き出すことを特徴とする、請求項１に記載の防水ファスナー。
【請求項３】
前記突起部は、前記細長部の一端が前記ブロック体に組み付けられており、前記細長部の自由端が湾曲し突起柱を形成することを特徴とする、請求項２に記載の防水ファスナー。
【請求項４】
前記突起部は、前記細長部の一端が前記ブロック体と一体に形成されており、前記細長部の自由端に突起柱が一体に成形されていることを特徴とする、請求項２に記載の防水ファスナー。
【請求項５】
前記突起部は、一体に形成されている、または、別体に組み付けられているシート体を有し、前記シート体が前記第１係合テープの背面に寄せ合わせられており、前記第１レール部を貫いて、前記第１レール部より突き出すことを特徴とする、請求項１に記載の防水ファスナー。
【請求項６】
前記突起部は、一体に形成されている、または、別体に組み付けられているシート体を有し、前記シート体が前記第１係合テープの前記第１レール部に嵌め込まれており、前記第１レール部より突き出すことを特徴とする、請求項１に記載の防水ファスナー。
【請求項７】
前記第１係合テープは、前記第１レール部に通り穴が形成されており、
前記突起部は前記通り穴を貫通し、前記第１レール部より突き出すことを特徴とする、請求項２〜５のいずれか１項に記載の防水ファスナー。
【請求項８】
前記凹部は、前記第２レール部を貫通する貫通穴であることを特徴とする、請求項１ないし請求項６のいずれか１つに記載の防水ファスナー。
【請求項９】
前記ブロック体は、内室を有し、両側に前記内室と連通するスリットが形成されており、前記第１係合テープの前記第１レール部の末端部が前記内室に固定されており、前記第２係合テープの前記第２レール部の末端部が前記内室に挿入可能であることを特徴とする、請求項１に記載の防水ファスナー。
【請求項１０】
前記スライダー素子は、スライダー胴体と、前記スライダー胴体に結合されている引き手と、を含み、
前記スライダー胴体は２つの案内溝を有し、そのうちの一方の前記案内溝が前記突起部に対応する収容室を有し、
前記第１係合テープの前記第１レール部は、前記スライダー胴体の一方の前記案内溝を貫通し、前記ブロック体に固定されており、
前記第２係合テープの前記第２レール部は、前記スライダー胴体の他方の前記案内溝を貫通し、前記ブロック体に挿入されていることを特徴とする、請求項１に記載の防水ファスナー。
【発明の詳細な説明】
【技術分野】
【０００１】
本発明はファスナーに関し、特にレール式防水ファスナーの設計に関する。
【背景技術】
【０００２】
現在の防水密閉型ファスナーは例えば、特許文献１、特許文献２、特許文献３または特許文献４に示すように、主に潜水服、レーンコート、コート、防水バッグ等の防水製品に使用しており、水がファスナーの噛み合わせ場所への侵入を防ぐ。それらの製品は主にプラスチック部材を用いて２本の係合テープを加工し、個々の係合テープの対応面にそれぞれレール部を形成していて、個々のレール部に突起レールと凹み溝を形成する。これにより、スライダー胴体を介して２本の係合テープのレール部を繋ぎ、スライダー胴体をスライドして、２本の係合テープのレール部を互いに（噛み合わせる（咬合させる）かまたは分離することができる。しかしながら、前述２本の係合テープのレール部の突起レールと、凹み溝は長い片状であり、互いに噛み合わせる（咬合させる）ときには、従来ファスナーの務歯の噛み合わせ構造のように、軸方向に位置ずれに対抗する機能を有しない。よって、２本の係合テープの末端部を一体に接着または熱溶着して置かなければならない。しかし、そのやり方だと、従来のオープンエンドファスナーのように、コート類といった物品に応用することはできない。
【０００３】
そのため、かつてはレール式防水ファスナーが設計されている。そのうち１本の係合テープの末端部に挟持装置を設けて、もう１本の係合テープの末端部を挟持装置に挿入かつ挟み込むことによって、オープンエンドの防水密閉型ファスナーを形成する。しかし、係る公知技術に用いられた挟持装置は、金属鋳造品で組み付けられたものであり、最大の欠点は構造が複雑すぎる上、構造体積が過大になり、これを比較的に小さいファスナーブロック体に応用して結合させると、かえてかさばって動き鈍い感覚のほか、使用するときに挟持固定の手間が新たに必要となり、操作と使用の不便を引き起こす。
【先行技術文献】
【特許文献】
【０００４】
【特許文献１】米国特許第７５３６７５８（Ｂ２）号明細書
【特許文献２】米国特許第２７７７１８１号明細書
【特許文献３】米国特許第６７２１９９９（Ｂ２）号明細書
【特許文献４】米国特許第７５７４７８０（Ｂ２）号明細書
【発明の概要】
【発明が解決しようとする課題】
【０００５】
本発明の主な目的は、レール式防水ファスナーについて、２本の係合テープの末端部の組み合わせ構造の設計により、２本の係合テープを互いに噛み合わせる箇所による位置ずれを防げる、防水ファスナーを提供することである。
【０００６】
本発明の次の目的は、レール式防水ファスナーについて、そのうち１本の係合テープの末端部付近に突起部を設け、もう１本の係合テープのレール部の末端部付近に凹部を設け、突起部と、凹部とを噛み合わせて位置決めすることで、２本の係合テープの位置ずれまたは滑行転位をなくし、構造簡単、かつ実用的な目的を達成する、防水ファスナーを提供する。
【０００７】
本発明のまた１つの目的は、スライダー素子（スライダー胴体）を引いてスライドさせる動作で、２本の係合テープのレール部を互いに噛み合わせると同時に、そのうち１本の係合テープの末端部付近に設ける突起部をもう１本の係合テープの末端部付近に設ける凹部に嵌め込むことにより、操作と使用が非常に簡単便利の目的を達成する、防水ファスナーを提供する。
【課題を解決するための手段】
【０００８】
本発明の防水ファスナーは、第１係合テープと、第２係合テープと、スライダー素子と、ブロック体と、突起部と、凹部と、を備える。第１係合テープと第２係合テープとを、それぞれ相対的に寄せ合わせる一辺には、それぞれ互いに噛み合わせるように働く第１レール部と、第２レール部と、を有する。スライダー素子は、第１レール部と第２レール部との間にスライド自在に結合して、第１レール部と第２レール部を互いに噛み合わせたり分離させたりするように駆動する。ブロック体は、第１係合テープの第１レール部の末端部に結合して、第２係合テープの第２レール部の末端部の挿設固定を提供する。第１レール部に突起部を設け、第２レール部に突起部に対応する凹部を設け、突起部を、第２レール部の一端をブロック体に挿入したとき、凹部に嵌め込む。
【０００９】
本発明の防水ファスナーを防水の必要な潜水服、レーンコート、コートといった物品に取り付けて応用することができる。第１係合テープと、第２係合テープとを噛み合わせる必要があるとき、まずスライダー素子を移動してブロック体に寄せ合わせて、次に、第２係合テープの第２レール部の末端部がスライダー素子を貫いて、第２レール部の末端部をブロック体に挿入し、第２レール部がスライダー素子を貫いてブロック体に挿入する動作で、第１係合テープの突起部を第２係合テープの凹部に嵌めこむことにより、第１係合テープと、第２係合テープとの末端部同士を一体に組み合わせて、第１係合テープと、第２係合テープとの滑動による位置ずれが避けられる。さらに、本発明によるブロック体と、第１係合テープの突起部との設計は、操作簡便、構造簡単及びコスト低減の効果を達成できる。
【００１０】
本発明では、防水ファスナーは、２本の係合テープと、スライダー素子と、ブロック体と、突起部と、凹部と、を備える。２本の係合テープをそれぞれ互いに寄せ合わせる一辺には、それぞれ互いに噛み合わせるように働くレール部を有し、２本の係合テープのレール部の間にスライド自在に結合するスライダー素子は、２本の係合テープを互いに噛み合わせたり分離させたりするように駆動し、ブロック体は、そのうち１本の係合テープの末端部に結合して、もう１本の係合テープの挿設固定を提供し、そのうち１本の係合テープの末端部に突起部を設け、もう１本の係合テープの末端部に凹部を設け、もう１本の係合テープの末端部がスライダー素子の案内溝を貫いてブロック体に挿入した後、スライダー素子を引き上げると、係合テープの突起部をもう１本の係合テープの凹部に嵌め込み、これにより、２本の係合テープの相互滑動による位置ずれが避けられる。
【図面の簡単な説明】
【００１１】
【図１】本発明の第１実施形態による防水ファスナーを示す斜視図である。
【図２】図１の第１実施形態による防水ファスナーの正面を示す分解斜視図である。
【図３】図１の第１実施形態による防水ファスナーの裏面を示す分解斜視図である。
【図４】図１の第２レール部にブロック体を挿入する動作を示す図である。
【図５】図４の突起部を凹部とスライダー素子に挿入する動作を示す図である。
【図６】図５の突起部を凹部に挿入した状態を示す断面図である。
【図７】図２のブロック体と細長部との組合せ構造を示す分解図である。
【図８】本発明の第２実施形態による防水ファスナーを示す斜視図である。
【図９】図８の突起部を凹部とスライダー素子に挿入する動作を示す図である。
【図１０】本発明の第３実施形態による防水ファスナーを示す斜視図である。
【図１１】図１０の突起部を凹部とスライダー素子に挿入する動作を示す図である。
【発明を実施するための形態】
【００１２】
（第１実施形態）
図１、図２及び図３に示すように、本発明の防水ファスナーは、主にレール式防水ファスナーについて考案されたものである。そのうち、第１実施形態は、第１係合テープ１ａと、第２係合テープ１ｂと、スライダー素子２と、ブロック体３と、を含む。第１係合テープ１ａの一辺の表面に第１レール部１１ａを有し、第２係合テープ１ｂの一辺の表面に第２レール部１１ｂを有する。第１レール部１１ａと第２レール部１１ｂを互いに噛み合わせる。第１レール部１１ａと、第２レール部１１ｂとの間にスライド自在に結合するスライダー素子２は、第１レール部１１ａと第２レール部１１ｂを互いに噛み合わせたり分離させたりするように駆動する。第１係合テープ１ａの第１レール部１１ａの末端部に結合するブロック体３は、第２係合テープ１ｂの第２レール部１１ｂの末端部の挿設固定を提供するように用いる。
【００１３】
特に注意したいことは、図１及び図２に示すように、本発明の第１係合テープ１ａの第１レール部１１ａの末端部付近に突起部４を設け、第２係合テープ１ｂの第２レール部１１ｂの末端部付近に突起部４に対応する凹部５を設ける。これにより、図４及び図５に示すように、第２係合テープ１ｂの第２レール部１１ｂの末端部がスライダー素子２を貫いて、第２レール部１１ｂの末端部をブロック体３に挿入し、第１係合テープ１ａの第１レール部１１ａと、第２係合テープ１ｂの第２レール部１１ｂを噛み合わせると同時に、第１係合テープ１ａの突起部４を第２係合テープ１ｂの凹部５に噛み合うことによって、第１係合テープ１ａと、第２係合テープ１ｂの末端部とをブロック体３に嵌め込んで、第１係合テープ１ａの末端部も第２係合テープ１ｂの末端部もブロック体３に連接するので、第１係合テープ１ａと、第２係合テープ１ｂとの相互滑動による位置ずれを防ぐことができ、スライダー素子２は第１レール部１１ａと、第２レール部１１ｂとに沿ってスライドすることができる。
【００１４】
さらに、図１及び図２に示すように、前述第１係合テープ１ａと第２係合テープ１ｂは、それぞれプラスチック部材を押出成形した細長い帯状であり、それぞれ片状部１２ａ、１２ｂを有し、前述第１レール部１１ａを片状部１２ａの一辺の表面に成形し、前述第２レール部１１ｂを片状部１２ｂの一辺の表面に成形する。前述第１レール部１１ａと第２レール部１１ｂには、互いに噛み合わせる（咬合させる）ために用いる突起レール１１１ａ、１１１ｂと、凹み溝１１２ａ、１１２ｂとを設ける。このため、使用者がスライダー素子２を第１レール部１１ａと第２レール部１１ｂに沿って移動するように引くと、第１レール部１１ａと第２レール部１１ｂを互いに噛み合わせる（咬合させる）かまたは分離することができる。
【００１５】
図２及び図４に示すように、前述スライダー素子２は、スライダー胴体２１と、スライダー胴体２１に結合する引き手２２と、を含むことが好ましく、スライダー胴体２１は矩形、菱形またはその他形状のブロック体であり、スライダー胴体２１は２つの案内溝２１１、２１２を有する。これにより、第１係合テープ１ａの第１レール部１１ａの末端部がスライダー胴体２１の案内溝２１１を貫いてブロック体３に固定し、第２係合テープ１ｂの第２レール部１１ｂがスライダー胴体２１のもう１つの案内溝２１２を貫いてから、ブロック体３に挿入することを使用者に提供し、引き続き、引き手２２を、スライダー胴体２１を移動させる（図５参照）ように引くことによって、第１レール部１１ａと第２レール部１１ｂを互いに噛み合わせる（咬合させる）かまたは分離することができる。
【００１６】
さらに、図１及び図２に示すように、前述ブロック体３は、凹陥状の内室３１を有することが好ましく、ブロック体３の両側はそれぞれ内室３１に連通するスリット３２を有する。これにより、第１係合テープ１ａの第１レール部１１ａの末端部を内室３１に固定し、片状部１２ａの末端部を一側のスリット３２に固定する。内室３１は第２係合テープ１ｂの第２レール部１１ｂの末端部がスライダー胴体２１を貫いてから、内室３１（図４参照）に挿入するスペースをあらかじめに確保しており、よって、前述突起部４を凹部５に嵌め込み、第２係合テープ１ｂの片状部１２ｂをブロック体３の他側のスリット３２に挿入して、ブロック体３を第１係合テープ１ａの第１レール部１１ａの底部端に固定結合して、第１係合テープ１ａと、第２係合テープ１ｂとを結合するときに、第１係合テープ１ａを防水ファスナーの内側の係合テープとして用いる。
【００１７】
さらに、図２及び図７に示すように、第１レール部１１ａに形成される突起部４の前述構造は例えば、ブロック体３の実施としては、細長部４１を有し、細長部４１の自由端を突起部４に形成しても良い。第１係合テープ１ａをブロック体３に結合したとき、細長部４１を第１係合テープ１ａの背面に寄せ合わせて、突起部４が第１レール部１１ａを貫いて、第１レール部１１ａより突き出す。詳しく言えば、細長部４１は金属丸棒を仕上げたものであり、細長部４１の一端をブロック体３に組み付けていて、突起部４は細長部４１の自由端を湾曲して形成した突起柱４２である。これにより、図４及び図５に示すように、第２係合テープ１ｂの第２レール部１１ｂの末端部をブロック体３に挿入したとき、第１レール部１１ａと第２レール部１１ｂを噛み合わせると同時に、第１レール部１１ａに突出形成された突起部４（突起柱４２）を第２レール部１１ｂにある凹部５に嵌め込むことができ、第１係合テープ１ａと、第２係合テープ１ｂとの相互滑動による位置ずれが避けられる。
【００１８】
前述細長部４１と突起柱４２がスライダー素子２の移動経路を阻害するまでには至らないために、図３及び図４に示すように、前述スライダー素子２のスライダー胴体２１は例えば、第１係合テープ１ａの案内溝２１１に対応して収容室２１３を設けても良い。収容室２１３を細長部４１と、突起柱４２とを丁度収容することができる程度の大きさにする。このため、スライダー素子２のスライダー胴体２１をブロック体３に移動させたとき、スライダー素子２をじゃますることなく、収容室２１３には細長部４１と突起柱４２とが収容される。
【００１９】
（第２実施形態）
さらに、図８と図９に示すように、本発明の防水ファスナーの突起部４の第２実施形態において、前述細長部４１は例えば、ブロック体３と一体成形して構成されてもよく、細長部４１の一端をブロック体３に一体成形していて、突起部４は細長部４１の自由端に一体成形した突起柱４２であり、第２レール部１１ｂにある凹部５に嵌め込むことができ、同じく第１係合テープ１ａと、第２係合テープ１ｂとの相互滑動による位置ずれを防ぐ機能を達成できる。
【００２０】
（第３実施形態）
さらに、図１０及び図１１に示すように、本発明の防水ファスナーの突起部４の第３実施形態において、突起部４は必ずしも組み付けまたは一体成形方式でブロック体３に設ける必要はなく、直接に第１係合テープ１ａと結合しても良い。詳しく言えば、突起部４は一体成形または組み付け方式で細長部４１の突起柱４２に形成されてもよく、引き続き、細長部４１を第１係合テープ１ａの背面に寄せ合わせて、突起部４（突起柱４２）が第１レール部１１ａを貫いて、第１レール部１１ａより突き出す。このようにしても、同じ機能を達成できる。
【００２１】
さらに、図２、図３及び図４に示すように、前述第１係合テープ１ａの第１レール部１１ａには例えば、通り穴１３ａを設けても良い。これにより、突起部４が通り穴１３ａを貫いて、第１レール部１１ａより突き出す。前述第２係合テープ１ｂの凹部５を例えば、第２レール部１１ｂを貫通した貫通穴５１として実施しても良い。このため、貫通穴５１を前述各実施形態の突起部４の嵌め込みに用いることができ、第１係合テープ１ａと第２係合テープ１ｂを互いに噛み合わせた後に、第１係合テープ１ａと、第２係合テープ１ｂとの相互滑動による位置ずれを防げる。
【符号の説明】
【００２２】
１ａ  第１係合テープ
１１ａ  第１レール部
１１１ａ  突起レール
１１２ａ  凹み溝
１２ａ  片状部
１ｂ  第２係合テープ
１１ｂ  第２レール部
１１１ｂ  突起レール
１１２ｂ  凹み溝
１２ｂ  片状部
１３ａ  通り穴
２  スライダー素子
２１  スライダー胴体
２１１  案内溝
２１２  案内溝
２１３  収容室
２２  引き手
３  ブロック体
３１  内室
３２  スリット
４  突起部
４１  細長部
４２  突起柱
４３  シート体
５  凹部
５１  貫通穴
【図１】
2017144030.tif 000003
【図２】
2017144030.tif 000004
【図３】
2017144030.tif 000005
【図４】
2017144030.tif 000006
【図５】
2017144030.tif 000007
【図６】
2017144030.tif 000008
【図７】
2017144030.tif 000009
【図８】
2017144030.tif 000010
【図９】
2017144030.tif 000011
【図１０】
2017144030.tif 000012
【図１１】
2017144030.tif 000013